(57)【要約】      （修正有）【課題】ゴミ袋の取り出しを容易に実施できるゴミ袋の収納箱を提供する。【解決手段】屋内外を問わず又家庭、店舗等の使用個所に関係なく、どこでも使用し得るゴミ袋を収納する箱であり、ゴミの詰まった袋を上方に引き上げることなく箱を底部で分離して筒体を上方に引き上げるだけで袋を移動させることができる。【選択図】図１
0003121256.tif 000002
【実用新案登録請求の範囲】
【請求項１】
両端部が開口し片側に傾斜する側面を有する筒体の開口面積の小さい側の上方開口部に、該筒体内に収納するゴミ袋の開口部周縁を挟持する筒体と同形状のリングを嵌合させ、該リングに着脱自在の蓋を被せるとともに、前記筒体の下方開口部が底皿に適宜固定手段を介して着脱自在に結合して成る、底部において分割可能となるゴミ袋収納箱。
【請求項２】
前記筒体を円筒状に形成し、該筒体と底皿とが回転に伴う鍵型フックの固定手段により着脱自在に結合して成る請求項１記載のゴミ袋収納箱。
【請求項３】
筒体を角筒状に形成し、該筒体と底皿とがピンとピン穴とに着脱自在に固定される請求項１記載のゴミ袋収納箱。
【考案の詳細な説明】
【技術分野】
【０００１】  本考案は、取り出し、移動を容易に実施できるゴミ袋を収納する箱に関するものである。
【背景技術】
【０００２】  従来、家庭等で発生するゴミは材料ごとに分別して袋詰めして定まった場所に運び、そこで回収されて処理場で処理されているが、この場合、ゴミを袋に入れて回収日まで保管する必要があり、そのために袋をポリエチレン製等のバケット内に収納している。ゴミの詰まった袋をバケットの中から取り出すときには、バケットの蓋を開け、そこから袋を引き上げて取り出さなければならないので、ゴミが詰まった重量のある袋を引き上げる作業に労力を要する問題があり、この問題を解消するために同一出願人によるゴミ袋収納箱が実用新案登録出願されているが、それは、着脱可能な蓋を、側面に水滴に拠る付着を防止する為の通気孔を施す両端部が開口する筒体の上方開口部にゴミ袋の開口部を挟持し係止する輪状体を介して設け、筒体の他端の低部開口部には底皿を着脱自在に嵌合させて、この底部で分割できるゴミ袋収納箱とするものであった。
【考案の開示】
【考案が解決しようとする課題】
【０００３】  本考案は、前記実用新案登録出願済みの考案に関る技術の改良であり、より簡単に実施できるゴミ袋収納箱を提供することを課題としている。
【課題を解決するための手段】
【０００４】  両端部が開口し片側開口部に向かって開口面積の小さくなるテーパーを有する側面で形成される筒体の、設置状態で上方に位置する開口面積の小さい側の開口部に、前記筒体内に収納するゴミ袋の開口部周縁を挟持する筒体と同形状のリングを嵌合させ、該リングに着脱自在の蓋を被せるとともに、前記筒体の下方開口部が底皿に適宜固定手段により着脱自在に結合して成る底部においてぶんり可能なゴミ袋の収納箱とするものであり、より具体的手段として一つには、前記筒体の形状を円筒状に形成し、この円筒状筒体と底皿とが、通常は筒体を底皿に嵌めこんだ後に回転させて両者に設けるオスメスの鍵型フックに依って着脱自在に結合するゴミ袋の収納箱として具体化するものであり、他の一つの手段として、筒体を四角或いは多角形状に形成し、該筒体と底皿とが両者にピン孔と該孔に挿入するピンにより着脱自在に結合されるゴミ袋の収納箱として課題を解決するものである。
【考案の効果】
【０００５】  従来のように、箱の蓋を開けて、中に収まっているゴミの詰まった袋を上方に引っ張り上げて取り出す必要がなく、底皿上にゴミ袋を残した上体で、比較的軽量の筒体を底皿から外して上方に引き上げる操作でゴミ袋の移動が可能となり作業性が格段に向上するとともに、筒体と底皿とが固定されるので箱全体の移動も従来同様に実施できる効果を有するが、前記同一出願人による出願済みの考案における筒体の側面に設ける通気孔を、材質等を考慮し、筒体を適度の角度を有する錐体上に形成することで不要なものとし、水滴等の付着による筒体の分離が出来なくなることが無く極めて容易に筒体を上方に引き上げ得ることが出来る実施がより簡便になると言う固有の効果を有するものである。
【考案を実施するための最良の形態】
【０００６】  以下、図面に示す実施例に基づいて本考案の実施形態について詳述する。
【実施例１】
【０００７】  図１乃至図７には筒体が円筒形状の請求項１及び請求項２に関る実施例を示してある。低部に向かって末広がりのテーパーを設ける両端部が開口している円筒状筒体１の上端開口部の周側面２に嵌合して軟質ポリエチレン製などのゴミ袋２６の開口端部２７を挟持するリング１３を設け、このリング１３上に把手１２を有する蓋１１を被せて使用するもので、筒体１の低部開口部にはテーパーをつけて形成する筒体挿入部５を形成し、この筒体１の筒体挿入部５が嵌合する案内壁８を有する底皿７を設け、筒体１に設ける突起片３と底皿７に設けるＬ字状の結合用切欠き９との回転による嵌合で成る鍵型フックで着脱自在に筒体１と底皿７とが結合している。又、筒体１と底皿７の一部にはピン穴４、１０を施しピン２５を挿入して固定状態を強固に保つようにしてある。【０００８】  使用に当たっては、蓋１１を開けて筒体１の上部開口部からゴミ袋２６内に廃棄物としてのゴミ２８を投入し、通常は、ゴミ２８が満載に堆積された時点で蓋１１を開けリング１３を外してゴミ袋２６の開口部２７を図６に示すように結び、回収時には、ピン２５を外して且つ筒体１を少し回転させて鍵型フックによる結合状態を解除し側面に設ける筒体取手６を持って筒体１を上方に引き上げて、ゴミ袋２６を底皿７上に残したままの状態にし、その後にゴミ袋２６を移動させることが出来ることになる。従って、重量物の詰まった重いゴミ袋２６を重力に逆らって上方に持ち上げる必要がなくなり、ゴミ袋２６の移動は水平方向で行なうことが出来るので前述の効果が顕著に現れることになる。【０００９】  本実施例においては、筒体１の上方開口部には段違いの周側面２を設けているが必ずしも段違いにする必要がなく、また、断面がＬ字状のリング１３を示してあるが、この形状を問うものではなくリング１３の形状はＩ字型などの形状であっても構わない。またピン２５による固定も本実施例に置いては必須の条件ではなく、筒体１に設ける取手６も有れば便利であると言う程度のもので、筒体１の側面に施されていればその位置、形状等を問うものではなく設計上の問題となる。更に、筒体１の下方に施す筒体挿入部５の形状等も設計上自由に設定されるものであり、Ｌ字状の鍵型フックを設ける位置、数等も設計上の問題となる。
【実施例２】
【００１０】  図８乃至図１１には請求項１及び請求項３における実施例を示す。上方に向かって先細に傾斜する両端部が開口する四角型筒体１４の上方開口部の周辺に角リング２４が嵌合する段違いの周側面１５を形成し、この周側面１５と角リング２４とによってゴミ袋２６の開口端部２７を挟んで支持し、角リング２４の外周に嵌る把手２３を上方に設ける角蓋２２を被せ、四角型筒体１４の下方側面の角筒体挿入部１７にピン穴４を穿ち、この四角型筒体１４を、ピン穴１０を穿つ案内壁２０を形成する四角の底皿１９に嵌合させて該ピン穴４、１０に差し込むピン２５に依り着脱自在に結合するものである。更に、筒体１４の下方側面に突起片１６を施し、該突起片１６が嵌る結合穴２１を底皿１９の側面に開口して、筒体１４と底皿１９との結合を強固なものとしているが、この突起部による結合が本考案における必須の条件ではなく、４辺の側面でピン結合させる等の設計変更は自由である。本実施例におけるピン２５を実施例１に示すゴミ袋収納箱に使用するピン２５と共通させることで余分のピンを容易する必要が無くなる。筒体１４の側面に取手１８を設けるのは移動のためであり、使用方法は実施例１に示すものと同じである。
本実施例では四角の筒体を示すが、四角以外の多角形状の筒体とすることなどは設計状の問題であり、生産性或いは美感を考慮して選択すればよい。
【産業上の利用可能性】
【００１１】  比較的軽量のポリエチレン等の安価な素材により本考案に関るゴミ袋収納箱を提供することで利用度が高まることが期待される。
戸外に設置する以外に家庭内の小型の箱として有用なものとなり得る。
【図面の簡単な説明】
【００１２】
【図１】  一実施例を示す全体の断面図である。
【図２】  同図の使用状態を示す断面図である
【図３】  蓋の例における斜視図である。
【図４】  リングの形状を示す斜視図である。
【図５】  図１における箱の斜視図である。
【図６】  ゴミ袋の外観図である。
【図７】  底皿の斜視図である。
【図８】  他の実施例における蓋の斜視図である。
【図９】  同実施例におけるリングの斜視図である。
【図１０】  同箱全体の斜視図である。
【図１１】  底皿の斜視図である。
【符号の説明】
【００１３】１      筒体
２      周側面
３      突起片
４      ピン穴
７      底皿
８      案内壁
９      結合用切欠き
１０    ピン穴
１１    蓋
１３    リング
１４    角筒体
１５    周側面
１６    突起片
１９    角底皿
２０    案内壁
２１    結合穴
２２    角蓋
２４    リング
２５    ピン
２６    ゴミ袋
２７    開口端部
【図１】
0003121256.tif 000003
【図２】
0003121256.tif 000004
【図３】
0003121256.tif 000005
【図４】
0003121256.tif 000006
【図５】
0003121256.tif 000007
【図６】
0003121256.tif 000008
【図７】
0003121256.tif 000009
【図８】
0003121256.tif 000010
【図９】
0003121256.tif 000011
【図１０】
0003121256.tif 000012
【図１１】
0003121256.tif 000013